(57)【要約】液体添加剤を供給する装置（１）は、アセンブリ本体（２）および差し込みプレート（３）を有し、アセンブリ本体（２）には、装置（１）の動作用の少なくとも１つの液圧部品（４）が搭載され、差し込みプレート（３）は、アセンブリ本体（２）に固定され、少なくとも１つの電気ヒーター（５）、および装置（１）の動作用の少なくとも１つのさらなる電気部品（６）が搭載され、電気ヒーター（５）は、差し込みプレート（３）からアセンブリ本体（２）のカットアウト（７）に広がる。【選択図】図１
2015532387.tif 000002
【特許請求の範囲】
【請求項１】
液体添加剤を供給する装置（１）であって、アセンブリ本体（２）と、差し込みプレート（３）と、を有し、アセンブリ本体（２）は、装置（１）の動作のための少なくとも１つの液圧部品（４）が搭載され、差し込みプレート（３）は、アセンブリ本体（２）に固定され、少なくとも１つの電気ヒーター（５）と、装置（１）の動作のための少なくとも１つのさらなる電気部品（６）と、が搭載され、少なくとも１つの電気ヒーター（５）は、差し込みプレート（３）から、アセンブリ本体（２）の少なくとも１つのカットアウト（７）に広がる、装置。
【請求項２】
請求項１に記載の装置（１）であって、ヒーター（５）は、アクティブ加熱部分（８）と、パッシブ熱分配部分（９）と、を有し、熱がアクティブ加熱部分（８）で生成され、その熱はパッシブ熱分配部分（９）によって分散され、パッシブ熱分配部分（９）は、アセンブリ本体（２）のカットアウト（７）に広がり、アクティブ加熱部分（８）は、アセンブリ本体（２）から離間するように、差し込みプレート（３）に配置される、装置。
【請求項３】
請求項２に記載の装置（１）であって、パッシブ熱分配部分（９）は、少なくとも１つのヒートパイプを備える、装置。
【請求項４】
請求項１〜３の１つに記載の装置（１）であって、差し込みプレート（３）は、少なくとも１つのガイド（１０）を有し、ガイド（１０）により、差し込みプレート（３）は、アセンブリ本体（２）との組み付けの際に、アセンブリ本体（２）に対して空間的に位置決めされ、ガイド（１０）はヒーター（５）によって形成される、装置。
【請求項５】
請求項４に記載の装置（１）であって、少なくとも１つのガイド（１０）には、少なくとも１つのクランプ手段（１１）が形成され、クランプ手段（１１）により、差し込みプレート（３）がアセンブリ本体（２）にクランプされる、装置。
【請求項６】
請求項１〜５の１つに記載の装置（１）であって、電気ヒーター（５）は、カットアウトの中でアセンブリ本体（２）と直接接触し、アセンブリ本体（２）は、カットアウト（７）の内側の伝熱部分（２９）を備え、伝熱部分（２９）は、熱が少なくとも熱伝導によってヒーター（５）からアセンブリ本体（２）に伝達されるように、電気ヒーター（５）に対する直接接触（７）を形成する、装置。
【請求項７】
請求項６に記載の装置（１）であって、伝熱部分（２９）は、フレキシブルであり、カットアウト（７）の内側の電気ヒーター（５）によって少なくとも部分的に押圧されることができ、伝熱部分（２９）が電気ヒーター（５）に押し付けられるようになっている、装置。
【請求項８】
請求項１〜７の１つに記載の装置（１）であって、差し込みプレート（３）は、少なくとも１つのバネ部（１２）を有し、バネ部（１２）により、アセンブリ本体（２）がアウターハウジング（１３）で支えられる、装置。
【請求項９】
請求項１〜８の１つに記載の装置（１）であって、超音波センサー（１４）が、差し込みプレート（３）に固定され、超音波センサー（１４）により、タンク（１５）の中の液体添加剤の充填レベルがモニターされることができる、装置。
【請求項１０】
自動車（１６）であって、内燃機関（１７）を有し、内燃機関（１７）の排ガスの浄化用の排ガス処理装置（１８）を有し、請求項１〜９の１つに記載の装置（１）も有し、装置（１）により、液体添加剤が排ガス処理装置（１８）に供給されることができる、自動車。
【発明の詳細な説明】
【技術分野】
【０００１】
本発明は、液体添加剤を供給する装置に関し、特に排気システム用の尿素水溶液を供給する装置に関する。そのような装置は、例えば、液体添加剤を自動車の排ガス処理装置に供給するために利用される。
【背景技術】
【０００２】
自動車分野では、排ガス処理装置も使用され、排ガス処理装置では、排ガスの汚染物質が、還元剤を用いて還元される。これに関連して行われる排ガス浄化プロセスは、選択触媒還元（ＳＣＲ）の方法であり、選択触媒還元（ＳＣＲ）の方法では、排ガス中の窒素酸化化合物が、アンモニアを用いて還元され、水、窒素および二酸化炭素などの非有害物質を形成する。アンモニアに変換され得る還元剤は、液体添加剤の形で排ガス処理装置に供給されてよい。アンモニアを形成する変換は、それから熱的におよび／または加水分解で（加水分解触媒コンバーターを用いて）排ガス処理装置で起こる。尿素水溶液は、このために還元剤としてよく使用される。排ガス浄化用の尿素水溶液は、ＡｄＢｌｕｅ（登録商標）の商品名で入手できる。
【０００３】
自動車用の液体添加剤を供給する装置は、できる限り安価であるべきである。そのような装置の問題は、（例えば尿素水溶液などの）添加剤は、低温で凍結し得ることである。ＡｄＢｌｕｅ（登録商標）は、例えば−１１℃で凍結する。自動車では、そのような低温は、特に冬季の長期静止状態で起こることがある。それでも装置の動作を可能にするために、装置を加熱できるヒーターを設けることが知られている。装置の凍結液体添加剤は、ヒーターによって溶かされ得る。ヒーターにより、必要な場合には、液体添加剤の凍結を防ぐこともできる。そのようなヒーターは、同じくできる限り安価であるべきであり、ヒーターにより生じる熱ができる限り効果的に装置内に分配されるように、装置内に配置されるべきである。さらに、ヒーターがメンテナンス目的で交換可能であることが、保証されるべきである。
【０００４】
さらに、装置に設けられる電気部品は連続的に作動することが、考慮されなければならず、侵食環境（尿素水溶液および／または車道および／または気象条件）は、安価で維持し易い配置を実現することを特に強く要請する。
【発明の概要】
【発明が解決しようとする課題】
【０００５】
ここから出発して、本発明の課題は、論じられた技術的問題を、解決または少なくとも軽減することである。特に、ヒーターが交換し易く維持し易い、ヒーターを有する液体添加剤を供給する特に安価な装置を、提示することが求められる。
【課題を解決するための手段】
【０００６】
この課題は、請求項１の特徴に従った装置により解決される。装置の有利な改良は、従属請求項に示される。請求項に個々に挙げられた特徴は、任意の技術的に有意な方法で、互いに組み合わせ可能であり、本発明のさらなる実施形態が示される、明細書からの実情によって補足されることもある。
【０００７】
本発明は、液体添加剤を供給する装置に関し、装置は、アセンブリ本体および差し込みプレートを有し、アセンブリ本体には、装置の動作用の少なくとも１つの液圧部品が搭載され、差し込みプレートは、アセンブリ本体に固定され、少なくとも１つの電気ヒーター、および装置の動作用の少なくとも１つのさらなる電気部品が搭載され、少なくとも１つの電気ヒーターは、差し込みプレートから、アセンブリ本体の少なくとも１つのカットアウトに広がる。
【０００８】
液体添加剤を供給する装置は、望ましくはポンプを備え、ポンプによって液体添加剤をタンクから供給装置に送出できる。供給装置によって、液体添加剤を排ガス処理装置に供給できる。タンクの吸引ポイントからポンプを通って供給装置まで、望ましくは送出路があり、送出路はラインによって形成され、送出路を通って液体添加剤が送出される。液体添加剤を供給する装置は、少なくとも１つのバルブおよび／または少なくとも１つのセンサーを追加的に有してよく、それによって液体添加剤の送出をコントロールおよび／またはモニターできる。ポンプ、設けられ得るバルブ、および設けられ得るセンサーは、ここでは装置の液圧部品と称される。（添加剤と（直接）相互作用する）前記の液圧部品は、装置のアセンブリ本体に搭載されてよい。
【０００９】
アセンブリ本体は、例えばプレートの形であってよく、液圧部品用の実装位置がプレートに設けられる。アセンブリ本体は、ダクトを有してもよく、ダクトは、個々の液圧部品間に液圧的接続を作り出す。アセンブリ本体の前記のダクトは、そしてタンクから供給装置までの送出ダクトのまたは送出路の部分を形成する。
【００１０】
アセンブリ本体の液圧部品は、少なくとも１つの電気端子も一般に有する。ポンプは、例えば電源端子を有し、電源端子によって電流をポンプに、その動作用に、供給できる。センサーは電気ラインを有し、電気ラインを介してセンサーが電圧パルスを出力でき、電圧パルスは、センサーにより測定される測定値に対応するバルブは、バルブ制御用の電気端子を有する。アセンブリ本体の液圧部品の全ての電気端子は、望ましくは、１つの電気プラグコネクタに組み合わせられる。
【００１１】
アセンブリ本体に加えて、装置は差し込みプレートを有する。差し込みプレートは、装置の電気（または電子）部品を支える。電気部品は、例えば、電気回路、制御ユニット、または同様の部品である。前記の電気部品は、アセンブリ本体の液圧部品の動作を制御する。装置の全ての電気部品が差し込みプレートに搭載されることが、望ましい。差し込みプレートの電気部品は、望ましくは、（アセンブリ本体の液圧部品と同じように）電気端子を有する。アセンブリ本体の電気部品の電気端子は、望ましくは、１つの電気プラグコネクタに組み合わせられる。
【００１２】
アセンブリ本体の電気プラグコネクタと差し込みプレートの電気プラグコネクタとは、望ましくは、差し込みプレートがアセンブリ本体に固定されたときに、互いに係合する。このようにして、プラグ接続が２つのプラグコネクタから形成される。電気プラグコネクタは、アセンブリ本体と差し込みプレートとの間の共通の電気的インターフェースを、このようにして形成する。望ましくは、アセンブリ本体の液圧部品と差し込みプレートの電気部品との完全な分離がある。これによって、液圧部品を含むアセンブリ本体と電気部品を含む差し込みプレートとを、互いに分離して製造できるおよび／または組み立てることができる。これによって、特に簡易で効率的な製造が可能となる。
【００１３】
装置の電気ヒーターは、電気部品であり、従って差し込みプレートに固定される。電気ヒーターは、装置で機能を果たすために、液体添加剤と直接接触する必要はない。電気ヒーターは、従って、ここでは液圧部品ではない。しかしながら、電気ヒーターは、アセンブリ本体の液圧部品の液体添加剤への特に良好な熱伝導を発現する。カットアウトは、従ってアセンブリ本体に配置され、電気ヒーターが、差し込みプレートから、カットアウトに延びる。カットアウトは、例えば、アセンブリ本体のボアであってよく、電気ヒーターは、前記のボアに広がる少なくとも１つの棒状部分を有してよい。
【００１４】
このようにしてアセンブリ本体のカットアウトに広がる電気ヒーターの結果として、電気ヒーターを、アセンブリ本体に空間的に特に近接して、およびアセンブリ本体の液圧部品に近接して、配置できる。熱伝導要素が、カットアウトの領域のアセンブリ本体に設けられてもよく、熱伝導要素は、電気ヒーターからアセンブリ本体への熱の方向性を持った移動を、可能にする。そのような熱伝導要素は、例えば接触領域によって形成されてよく、接触領域は、電気ヒーターがカットアウトに及ぶときに、電気ヒーターに接触する。
【００１５】
ヒーターがアクティブ加熱部分とパッシブ熱分配部分とを有すると、装置は特に有利であり、熱がアクティブ加熱部分で生成され、その熱はパッシブ熱分配部分によって分散され、パッシブ熱分配部分は、アセンブリ本体のカットアウトに広がり、アクティブ加熱部分は、アセンブリ本体から離間するように、差し込みプレートに配置される。
【００１６】
ヒーターのそのような分割により、従来のヒーターと比べて小さいアクティブ加熱部分を使用できるようになる。このようにして、高価なアクティブに加熱可能な材料を回避でき、より安価な熱を分散する材料に置き換えることができる。さらに、アクティブ加熱部分への電力の供給用の電気ラインをより短くできる。アクティブ加熱部分が、電源に近接して差し込みプレートに位置することができるからである。ヒーター用の短い電気ラインは特に有利である。自動車では、ヒーターは、低い作動電圧で一般に作動され、低い作動電圧で比較的多量の熱エネルギーを伝達するのに、比較的大きな断面を有する電気ラインが求められるからである。そのような電気ラインは、第１に高価であり、第２に高重量である。
【００１７】
パッシブ熱分配部分が少なくとも１つのヒートパイプを備えると、本発明はさらに有利である。ヒートパイプにはキャビティが位置し、キャビティは気密的に閉鎖され、キャビティには、液体が、部分的に液相でおよび部分的に気相で存在する。蒸発および凝縮を通じて、熱は、ヒートパイプによって特に効果的に伝達されることができ、このために大きな温度差が必要とされない。記載されている装置におけるヒートパイプの使用は、従って特に有利である。
【００１８】
差し込みプレートが少なくとも１つのガイドを有すると、装置はさらに有利であり、ガイドにより、差し込みプレートが、アセンブリ本体との組み付けの際に、アセンブリ本体に対して空間的に位置決めされ、ガイドはヒーターによって形成される。
【００１９】
そのようなガイドは、例えば棒状構造またはガイド手段によって形成されてよく、それは、アセンブリ本体の対応する開口に係合する。前記の係合は、望ましくは、差し込みプレートがアセンブリ本体からまだ相隔たるときに、組み付けプロセスの際にすでに作り出される。そして、アセンブリ本体のおよび差し込みプレートの全ての端子が、互いに対して正しい空間位置にあり、互いに案内されるように、差し込みプレートをガイドに沿ってアセンブリ本体に近づけることができる。
【００２０】
そのようなガイドは、機能的理由で、差し込みプレートから、アセンブリ本体の対応するカットアウトに突き出る。従って、ヒーターと前記の種類のガイドを兼ねるのが、特に有利で費用がかからない。追加部品をこのようにして回避できる。ヒーターおよび記載されているガイドは、従ってこの場合驚くほど有利な相乗効果を示す。
【００２１】
少なくとも１つのガイドに少なくとも１つのクランプ手段が形成されると、装置はさらに有利であり、クランプ手段により、差し込みプレートがアセンブリ本体にクランプされる。
【００２２】
そのようなクランプ手段は、例えばかかりの付いたフックによって形成されてよく、かかりの付いたフックは、ガイド、またはヒーターの形のガイドが、カットアウトの中でその最終位置に到達したときに、アセンブリ本体のカットアウトに引っかかる。そのようなクランプ手段があれば、アセンブリ本体と差し込みプレートとの間の安定した確実な接続を、単純な方法で作り出すことができ、例えばねじや接続ピンなどの付加的組み付け手段が、このために必要とされない。クランプ手段は、ヒーターとアセンブリ本体との間で熱を伝達するように、さらに設計されてよい。アセンブリ本体のクランプ手段のキャッチの結果として、特に強い接触がガイドとアセンブリ本体との間に生じ、その接触は熱伝達に利用され得る。
【００２３】
電気ヒーターがアセンブリ本体との直接接触をカットアウトの中で形成すると、装置はさらに有利であり、アセンブリ本体は、カットアウトの内側の伝熱部分を備え、伝熱部分は、電気ヒーターに対して直接接触し、熱が少なくとも熱伝導によってヒーターからアセンブリ本体に伝達されるようになっている。
【００２４】
伝熱部分は、カットアウトの領域におけるアセンブリ本体の表面であり得る。望ましくは、ヒーターはカットアウトにちょうど収まる。カットアウトの内側のアセンブリ本体の表面は、熱伝導性コーティングでコーティングされてよく、熱伝導性コーティングは、ヒーターからアセンブリ本体への熱伝達を促進する。このコーティングは、伝熱性ペーストであり得る。
【００２５】
伝熱部分が、フレキシブルであり、カットアウトの内側の電気ヒーターによって少なくとも部分的に押圧されることができ、伝熱部分が電気ヒーターに押し付けられるようになっていると、装置はさらに有利である。弾性伝熱部分は、以下の材料：
‐シリコーンゴム、
‐雲母、
‐プラスチックフォイル、および
‐パラフィンワックス、
の少なくとも１つを備える。
【００２６】
装置のさらなる実施形態では、熱は、少なくとも熱放射または対流によって、電気ヒーターからアセンブリ本体に伝えられる。従って、特に（空気）間隙が、アセンブリ本体とカットアウトの領域のヒーターとの間にある。熱放射によるまたは対流による、ヒーターからアセンブリ本体への熱の伝達によって、ヒーターからアセンブリ本体への熱伝達を、精度良く設定できるようになる。製造ばらつきのため、ヒーターとアセンブリ本体との間の一様な直接接触を作り出すことは、ヒーターとアセンブリ本体との間の均一な間隔を作り出すことよりも難しい。このようにして、かかる設計により、異なる装置の特に一様な製造を実現することができる。ヒーターの表面およびカットアウトの領域のアセンブリ本体の表面は、熱放射によるまたは対流による特に効果的な熱の伝達が可能であるように、設計および形成されてよい。本体は、電気ヒーターと接触する空気の循環をサポートする、チャネルまたは他の構造または装置を有してもよい。例えば、アセンブリ本体は、空気の循環を可能にする閉じた無終端チャネルを備えることができる。ヒーターも少なくとも１つの液圧部品も、このチャネルの影響を受け、ヒーターから放出された熱が、空気によってヒーターから液圧部品に運ばれるようになっている。
【００２７】
差し込みプレートが少なくとも１つのバネ部を有すると、装置はさらに有利であり、バネ部により、アセンブリ本体がアウターハウジングで支えられる。
【００２８】
アウターハウジングは、例えば、液体添加剤用のタンクに（ドライ）チャンバを形成する。アウターハウジングは、金属製であってよく、および／またはプラスチックから製造されてよい。アウターハウジングは、タンクにまたはタンクのタンク壁に、溶接されてもよい。差し込みプレートのバネ部により、アセンブリ本体は、望ましくは、アウターハウジングの壁に押し付けられる。これは、特に製造し易い、アセンブリ本体のアウターハウジングへの固定をもたらす。装置の組み付けは、従ってバネ部によって簡易化され得る。
【００２９】
超音波センサーが差し込みプレートに固定されると、装置はさらに有利であり、その超音波センサーにより、以下のパラメーター：
‐タンクの中の液体添加剤の充填レベル、または
‐タンクの中の液体添加剤の性質、
の少なくとも１つをモニターできる。
【００３０】
液体添加剤が尿素水溶液の場合、液体添加剤の性質は、通常は尿素の濃度である。本発明の特に望ましい実施形態では、超音波センサーは、タンクの中の液体添加剤の充填レベルも性質も、モニターするように構成される。超音波センサーは、タンクの中の液体添加剤を通る超音波の伝播の測定により、タンクの中の充填レベルを測定できる。超音波センサーは、ハウジングを通して測定を行うことができ、従って液体添加剤と直接接触する必要はない。ここで、超音波センサーは、液圧部品というよりむしろ電気部品である。超音波センサーは、望ましくは、差し込みプレートがアセンブリ本体に取り付けられたときに、装置のハウジングに当接するように、差し込みプレートに固定される。差し込みプレートのバネ部は、この当接をサポートできる。タンクの中の液体添加剤は、超音波センサーに向かい合って、アウターハウジングの反対側に位置する。
【００３１】
本発明は、特に自動車で使用可能であり、自動車は、内燃機関を有し、内燃機関の排ガスの浄化用の排ガス処理装置を有し、記載されている装置も有し、記載されている装置によって液体添加剤を排ガス処理装置に供給できる。
【００３２】
排ガス処理装置には、望ましくはＳＣＲ触媒コンバーターが配置され、それにより、内燃機関の排ガスを、液体添加剤（尿素水溶液などの還元剤）を用いて浄化できる。本発明および技術周辺は、以下で図に基づいてより詳細に説明される。図は特に望ましい設計変形を示すが、本発明はそれに限定されない。図および特に示された寸法関係は、単に図的であることが、特に指摘される。
【図面の簡単な説明】
【００３３】
【図１】組み付け状態で記載されている装置の第１設計変形を示す。
【図２】組み付け前の記載されている装置の第１設計変形を示す。
【図３】記載されている装置の第２設計変形を示す。
【図４】記載されている装置の第４設計変形を示す。
【図５】記載されている装置を有する液体添加剤用のタンクを示す。
【図６】記載されている装置を有する自動車を示す。
【発明を実施するための形態】
【００３４】
図中の同一の部品は、同じ符号により表された。図１〜５に示される装置１の設計変形は、従って初めに、合わせて説明されるものとする。
【００３５】
装置１は、いずれの場合にも、アセンブリ本体２を有し、アセンブリ本体２には、（尿素水溶液などの）液体添加剤を送出する少なくとも１つの液圧部品４が配置されている。そのような液圧部品４は、例えばポンプ、センサーおよび／またはバルブであってよい。液圧部品４は、送出ダクト２４を介し、アセンブリ本体２で相互に連結され、送出ダクト２４を通じて液体添加剤の送出が行われる。アセンブリ本体２は、カットアウト７を有する。差し込みプレート３は、アセンブリ本体２に固定される。電気部品６およびヒーター５は、差し込みプレート３に搭載される。差し込みプレート３およびアセンブリ本体２は、それぞれプラグコネクタ２６を有し、組み付け状態で（図１の通り）、プラグ接続２５を形成し、プラグ接続２５を介し、アセンブリ本体２の液圧部品４と差し込みプレート３の電気部品６とが、互いに電気的に接続される。
【００３６】
図２は、差し込みプレート３がアセンブリ本体２に組み付けられる前の、図１による装置１の設計変形を示す。ここで、アセンブリ本体２のおよび差し込みプレート３のプラグコネクタ２６は、互いに分離している。ヒーター５は、アセンブリ本体２のカットアウト７内にまだ配置されていない。差し込みプレート２は、ガイド１０を有し、ガイド１０は、差し込みプレートがアセンブリ本体に組み付けられる前に、前記のガイド１０がアセンブリ本体２に対し差し込みプレート３をすでに位置付けるという点で、アセンブリ本体２への差し込みプレート３の特に簡単な組み付けを可能にする。ガイド１０は、オプションのクランプ手段１１を有し、クランプ手段１１により、差し込みプレート３をアセンブリ本体２にクランプできる。
【００３７】
図３に説明される装置１の設計変形では、電気ヒーター７は、アクティブ加熱部分８とパッシブ熱分配部分９に分けられる。図３による設計変形では、超音波センサー１４が、差し込みプレート３に追加的に配置され、超音波センサーにより、液体添加剤用のタンクの充填レベルをモニターできる。前記の超音波センサー１４は、電気部品６である。図３の設計変形は、ハウジング１３に配置されている。超音波センサー１４は、ハウジング１３を通してタンクの充填レベルの超音波測定を行うことができるように、ハウジング１３に当接し、ハウジング１３は、このために前記のタンクのタンクベースに挿入される。
【００３８】
図４による装置の設計変形は、図３による設計変形に実質的に対応する。ここで、差し込みプレート３はバネ部１２を追加的に有し、バネ部１２によって、アセンブリ本体２がハウジング１３で支えられる。このために、差し込みプレート３のバネ部１２は、アセンブリ本体２を、部分においてハウジング１３に押し付ける。例として、図４は、伝熱部分２９を示し、伝熱部分２９は、アセンブリ本体２の一部であり、ヒーター５と直接接触し、熱伝導によるヒーター５からアセンブリ本体２への熱移動を可能にする。
【００３９】
図５は、液体添加剤用のタンク１５の中の装置１を示す。装置１のハウジング１３は、タンク１５内で独立チャンバを形成する。独立チャンバは、例えばタンク１５のタンク壁の内側突出部として形成されてよく、内側突出部は、タンクの内部に広がる。前記の内側突出部は、カバー２７によってタンク１５の外側から閉ざされ得る。ハウジング１３には、吸引ポイント２３が設けられ、吸引ポイント２３で液体添加剤をタンク１５から取り出すことができる。送出路２１は、吸引ポイント２３から装置１の外へ延びる。送出路２１はポンプ２２を通り抜け、ポンプ２２により、液体添加剤が送出路２１に沿って送出され得る。ポンプ２２は、液圧部品４であり、従ってアセンブリ本体に搭載され、アセンブリ本体は、図５では独立して示されていない。図５は、超音波センサー１４がどのようにタンク１５の中の液体添加剤の充填レベルを測定するかについても、示している。超音波センサーは、電気部品６であり、従って差し込みプレート３に搭載され、差し込みプレート３は、図５では独立して示されていない。
【００４０】
図６は、内燃機関１７を有する自動車１６を示す。自動車１６は、排ガス処理装置１８も有し、排ガス処理装置１８によって内燃機関１７の排ガスを浄化できる。供給装置２０により、液体添加剤を排ガス処理装置に供給できる。装置１により、液体添加剤は、ライン２８を介して供給装置２０にタンク１５から供給される。排ガス処理装置１８には、ＳＣＲ触媒コンバーター１９が配置され、ＳＣＲ触媒コンバーター１９により、内燃機関１７の排ガス中の窒素酸化化合物を、液体添加剤を用いて還元できる。
【００４１】
数々の技術的特徴が図中で互いに組み合わせて示されたが、前記の技術的特徴は、抜き出されてもよく、他の模範的な実施形態と組み合わされてもよいことが、当業者には明らかである。これは、必須の組み合わせへの言及がされていない場合に、同様に当てはまる。これは、必要に応じて置き換えられてよい、装置の部品の数／配置／配列に、特に関わりがある。
【００４２】
記載されている装置は、特に安価で特に組み立て易い。同時に、それは、部品の容易な交換およびアフターサービスを可能にし、装置の修理が特に容易にできるようになっている。
【符号の説明】
【００４３】
１  装置
２  アセンブリ本体
３  差し込みプレート
４  液圧部品
５  ヒーター
６  電気部品
７  カットアウト
８  アクティブ加熱部分
９  パッシブ熱分配部分
１０  ガイド
１１  クランプ手段
１２  バネ部
１３  ハウジング
１４  超音波センサー
１５  タンク
１６  自動車
１７  内燃機関
１８  排ガス処理装置
１９  ＳＣＲ触媒コンバーター
２０  供給装置
２１  送出路
２２  ポンプ
２３  吸引ポイント
２４  送出ダクト
２５  電気プラグ接続
２６  プラグコネクタ
２７  カバー
２８  ライン
２９  伝熱部分
【図１】
2015532387.tif 000003
【図２】
2015532387.tif 000004
【図３】
2015532387.tif 000005
【図４】
2015532387.tif 000006
【図５】
2015532387.tif 000007
【図６】
2015532387.tif 000008
【国際調査報告】
2015532387.tif 000009
2015532387.tif 000010